(57)【特許請求の範囲】
【請求項１】
容器本体の口部に装着されて該容器本体の内側に収容された内容物を注出する注出口を有するキャップであって、
前記注出口を囲繞する注出筒部と、前記注出口を封止する封止板の上面にプルリングが付設された栓体と、が備えられ、
前記プルリングが前記注出筒部の上端よりも上方に配置され、
前記注出口が形成されていると共に前記注出筒部及び前記栓体を備える注出キャップと、該注出キャップを覆うオーバーキャップと、が備えられ、
該オーバーキャップの内側に前記プルリングが収納され、
前記プルリングは、前記封止板の上面に立設され、かつ前記注出筒部の内側に配設された連結部を介して前記封止板に連結され、
前記オーバーキャップは、前記プルリングの上方に配設され、かつ内容物の注出されるノズル部が設けられた天壁部と、前記天壁部の下面から垂下され前記注出筒部に全周にわたって液密に嵌合するシール筒部と、を備え、
前記ノズル部と前記シール筒部の内側とが連通していることを特徴とするキャップ。
【請求項２】
請求項１に記載のキャップにおいて、
前記シール筒部は、前記注出筒部に外嵌していることを特徴とするキャップ。
【発明の詳細な説明】
【技術分野】
【０００１】
本発明は、注出口を有するキャップに関する。
【背景技術】
【０００２】
この種のキャップとして、従来、例えば下記特許文献１に記載されているような、円環状の天壁部と、天壁部の外縁から垂下された外周壁と、天壁部の内縁から垂下された嵌合内筒と、天壁部の内縁から立設された起立周壁と、起立周壁の内側から上方に向けて突出されていると共に底部に注出口が形成された注出筒部と、注出口を封止する閉板（封止板）の上面にプルリングが付設された栓体と、を備える構成が知られている。このキャップでは、上記したプルリングに指等を掛けて引き上げることで、封止板が注出口から取り外されて注出口が開封される。
【先行技術文献】
【特許文献】
【０００３】
【特許文献１】特開平１０−２８７３５１号公報
【発明の概要】
【発明が解決しようとする課題】
【０００４】
しかしながら、上記した従来のキャップでは、プルリングが注出筒部の上端よりも低い位置に配置され、注出筒部の内側に収納された状態となっているので、プルリングに指等を掛けにくく、栓体を抜栓しにくいという問題がある。また、注出筒部の内側にプルリングが収納された構成では、プルリングのリング径が小さくなるので、プルリングに指等を掛けにくい。
【０００５】
本発明は、上記した従来の問題が考慮されたものであり、プルリングに指等を掛け易くし、栓体を容易に抜栓することができるキャップを提供することを目的としている。
【課題を解決するための手段】
【０００６】
本発明に係るキャップは、容器本体の口部に装着されて該容器本体の内側に収容された内容物を注出する注出口を有するキャップであって、前記注出口を囲繞する注出筒部と、前記注出口を封止する封止板の上面にプルリングが付設された栓体と、が備えられ、前記プルリングが前記注出筒部の上端よりも上方に配置され、前記注出口が形成されていると共に前記注出筒部及び前記栓体を備える注出キャップと、該注出キャップを覆うオーバーキャップと、が備えられ、該オーバーキャップの内側に前記プルリングが収納され、前記プルリングは、前記封止板の上面に立設され、かつ前記注出筒部の内側に配設された連結部を介して前記封止板に連結され、前記オーバーキャップは、前記プルリングの上方に配設され、かつ内容物の注出されるノズル部が設けられた天壁部と、前記天壁部の下面から垂下され前記注出筒部に全周にわたって液密に嵌合するシール筒部と、を備え、前記ノズル部と前記シール筒部の内側とが連通していることを特徴としている。
【０００７】
このような特徴により、プルリングに指等を掛けて引き上げることで、封止板が注出口から取り外されて注出口が開封される。このとき、プルリングが注出筒部の上端よりも上方に位置しているので、プルリングに指等を掛け易い。また、プルリングが注出筒部の上端よりも上方に位置しているので、プルリングのリング径を大きくすることが可能である。このようにプルリングのリング径を大きくすることで、プルリングに指等をさらに掛け易くなる。
【０００８】
また、本発明に係るキャップがオーバーキャップを備えていて、このオーバーキャップの内側にプルリングが収納されているので、プルリングが露出されず、キャップの外観性が改善されるとともに、プルリングが不用意に引き上げられることが防止される。
また、本発明に係るキャップは、前記シール筒部は、前記注出筒部に外嵌していることが好ましい。
【発明の効果】
【０００９】
本発明に係るキャップによれば、プルリングに指等を掛け易いので、栓体を容易に抜栓することができ、開封時の操作性を向上させることができる。
【図面の簡単な説明】
【００１０】
【図１】本発明の実施の形態を説明するためのキャップの断面図である。
【図２】本発明の実施の形態を説明するための開封時のキャップの断面図である。
【発明を実施するための形態】
【００１１】
以下、本発明に係るキャップの実施の形態について、図面に基いて説明する。
なお、図１に示す鎖線Ｏは、キャップ１の中心軸線を示しており、以下、単にキャップ軸Ｏと記す。また、キャップ軸Ｏに沿った方向を「軸方向」とし、キャップ軸Ｏに直交する方向を「径方向」とし、キャップ軸Ｏ回りの方向を「周方向」とする。また、キャップ１からみて容器本体１０側（図１における下側）を「下方」とし、その反対側（図１における上側）を「上方」とする。
【００１２】
図１に示すキャップ１は、容器本体１０の口部１１に装着される樹脂製のキャップ体である。このキャップ１の概略構成としては、口部１１の上端部に被着された注出キャップ２と、容器本体１０の上端部に被着されて注出キャップ２の全体を覆うオーバーキャップ３と、が備えられている。
【００１３】
［注出キャップ］
まず、注出キャップ２の構成について説明する。
注出キャップ２は、口部１１の上方に配設された天壁部２０と、天壁部２０の下面から垂下された内筒部２１と、天壁部２０の外縁から垂下された外筒部２２と、天壁部２０の上面に立設された注出筒部２３と、天壁部２０に形成された注出口２５を閉塞する栓体２４と、を備えている。
【００１４】
天壁部２０は、キャップ軸Ｏに対して垂直に配設された平板状の壁部であり、平面視円形状に形成されている。この天壁部２０の中央部分には、容器本体１０の内側に収容された内容物を注出する注出口２５が形成されている。この注出口２５は、内筒部２１を介して口部１１の内側に連通される開口部であり、内筒部２１の内側に向けて開口されている。
【００１５】
内筒部２１は、キャップ軸Ｏを中心軸線にして軸方向に延設された円筒形状の筒部であり、口部１１の内側に嵌合されている。この内筒部２１の外径は口部１１の内径と略同径であり、内筒部２１の外周面は口部１１の内周面に全周に亘って液密に密接され、内筒部２１と口部１１との間がシールされている。
外筒部２２は、キャップ軸Ｏを共通軸にして内筒部２１と同軸上に配設された円筒形状の筒部であり、口部１１の外側に周設されていると共に口部１１に対してアンダーカット嵌合されている。
【００１６】
注出筒部２３は、キャップ軸Ｏを中心軸線にして軸方向に延設する円筒形状の筒部である。この注出筒部２３は、上記した注出口２５を囲繞する立上げ周壁部であり、平面視において注出筒部２３の内側に注出口２５が配設されている。詳しく説明すると、注出筒部２３の内径は内筒部２１の内径よりも大きく、注出筒部２３の外径は外筒部２２の外径よりも小さい。
【００１７】
栓体２４は、注出口２５を封止する封止板２６と、封止板２６の上面に付設されたプルリング２７と、を備えている。封止板２６は、注出口２５の内側に配設されて注出口２５を密閉する板部であり、封止板２６の外縁は注出口２５の内縁に破断容易な弱化部２９を介して全周に亘って連結されている。プルリング２７は、指等を掛けることが可能な環状部であり、封止板２６の上面に立設された連結部２８を介して封止板２６に連結されている。詳しく説明すると、封止板２６の外周部に連結部２８が立設されており、この連結部２８の上端部にプルリング２７が設けられている。このプルリング２７は、封止板２６の直上の位置であって、且つ注出筒部２３の上端よりも上方の位置に配置されている。
【００１８】
［オーバーキャップ］
続いて、オーバーキャップ３の構成について説明する。
オーバーキャップ３は、上記した注出キャップ２を覆うと共に上記した注出口２５から注出された内容物を吐出するノズル筒部５４を有するオーバーキャップ本体部５と、オーバーキャップ本体部５の上端面に被着されて前記ノズル筒部５４を覆う蓋部６と、を備えている。
【００１９】
オーバーキャップ本体部５は、プルリング２７の上方に配設された天壁部５０と、天壁部５０の下面から垂下された嵌合筒部５１と、天壁部５０の下面から垂下されていると共に嵌合筒部５１の内側に配設されたシール筒部５２と、天壁部５０の外縁から垂下された周壁部５３と、天壁部５０の上面に立設されたノズル筒部５４と、を備えている。
【００２０】
天壁部５０は、キャップ軸Ｏに対して垂直に配設された平板状の壁部であり、平面視円形状に形成されている。
周壁部５３は、キャップ軸Ｏを中心軸線にして軸方向に延設された筒部であり、天壁部５０の外縁から下方に向かって漸次拡径されたテーパー状の筒部である。この周壁部５３の下端部は、容器本体１０の胴部１３の上端部に嵌合されている。
【００２１】
嵌合筒部５１は、キャップ軸Ｏを中心軸線にして軸方向に延設された円筒形状の筒部である。この嵌合筒部５１は、注出キャップ２の外筒部２２の外周に周設されていると共に外筒部２２の下端よりも下方に延在されており、嵌合筒部５１の下端部は、口部１１の外周面に突設されたフランジ１２にアンダーカット嵌合されている。
【００２２】
シール筒部５２は、キャップ軸Ｏを共通軸にして嵌合筒部５１と同軸上に配設された円筒形状の筒部である。このシール筒部５２の下端部は、注出キャップ２の注出筒部２３の外周に嵌合されており、シール筒部５２の下端部の内周面は注出筒部２３の外周面に全周に亘って液密に密接され、シール筒部５２と注出筒部２３との間がシールされている。
【００２３】
ノズル筒部５４は、シール筒部５２を介して注出筒部２３に連通される円筒形状の筒部であり、ノズル筒部５４の下端は天壁部５０の下面からシール筒部５２の内側に向けて開口されている。このノズル筒部５４は、天壁部５０の中心位置（キャップ軸Ｏ）から径方向一方側にずれた位置に配設されている。
【００２４】
蓋部６は、後述するヒンジ７回りに回動させることで開閉される蓋体であり、その概略構成としては、上記したオーバーキャップ本体部５の天壁部５０の上方に配設されてノズル筒部５４を覆う天壁部６０と、天壁部６０の外縁から垂下された周壁部６１と、天壁部６０の下面から垂下されてノズル筒部５４を囲繞する囲繞筒部６２と、天壁部６０の下面から垂下されていると共に囲繞筒部６２の内側に配設されたシール筒部６３と、を備えている。
【００２５】
天壁部６０は、上方に向けて膨出した湾曲板状の壁部であり、平面視円形状に形成されている。
周壁部６１は、キャップ軸Ｏを中心軸線にして軸方向に延設された筒部であり、天壁部６０の外縁から下方に向かって漸次拡径されたテーパー状の筒部である。この周壁部６１の径方向一方側の下端部には、径方向外側に突出した摘み部６４が突設されている。また、この周壁部６１の径方向他方側（摘み部６４の反対側）の下端部はヒンジ７を介してオーバーキャップ本体部５の周壁部５３の上端部に連結されている。なお、オーバーキャップ本体部５と蓋部６とは上記したヒンジ７を介して一体に形成されている。
【００２６】
囲繞筒部６２は、ノズル筒部５４の外周に周設された円筒形状の筒部であり、天壁部６０の中心位置（キャップ軸Ｏ）から径方向一方側にずれた位置に配設されている
シール筒部６３は、囲繞筒部６２と同軸上に配設された円筒形状の筒部である。シール筒部６３の下端部は、ノズル筒部５４の内側に嵌合されており、このシール筒部６３の下端部の外周面はノズル筒部５４の内周面に全周に亘って液密に密接され、シール筒部６３とノズル筒部５４との間がシールされている。
【００２７】
次に、上記した構成からなるキャップ１の作用について説明する。
【００２８】
上記したキャップ１を備える容器を使用する際には、まず、オーバーキャップ３を容器本体１０から取り外す。これにより、図２に示すように、オーバーキャップ３の内側に収納されていた注出キャップ２が露出される。
【００２９】
次に、図２に示すように、プルリング２７に指等を掛けてプルリング２７を引き上げる。これにより、封止板２６の外周部が連結部２８を介して引き上げられ、弱化部２９が破断しながら封止板２６が片側（連結部２８側）から徐々に捲り上げられ、封止板２６が注出口２５から取り外されて注出口２５が開封される。このとき、プルリング２７が注出筒部２３の上端よりも上方に位置しているので、プルリング２７に指等を掛け易い。また、プルリング２７が注出筒部２３の上端よりも上方に位置しているので、注出筒部２３の内側にプルリングを収納させる場合に比べてプルリング２７を大径とすることができ、プルリング２７に指等をさらに掛け易くなっている。
【００３０】
次に、オーバーキャップ３を容器本体１０に被着させる。これにより、注出キャップ２がオーバーキャップ３によって覆われる。そして、蓋部６の摘み部６４に指等を掛けて蓋部６をヒンジ７回りに回動させて蓋部６を開ける。これにより、ノズル筒部５４の内側からシール筒部６３が引き抜かれ、ノズル筒部５４の上端部が開放される。続いて、容器本体１０の上端部を径方向一方側（図１における左側）に傾倒させる。これにより、容器本体１０内の内容物が口部１１から注出口２５を通って注出筒部２３及びシール筒部５２の内側に注出され、注出筒部２３及びシール筒部５２の内側からノズル筒部５４を通って吐出される。
なお、オーバーキャップ３を取り付けずに、注出キャップ２が露出されたまま内容物を注出することも可能である。
【００３１】
上記したキャップ１によれば、プルリング２７に指等を掛け易いので、栓体２４を容易に抜栓することができ、注出口２５の開封時の操作性を向上させることができる。
【００３２】
また、プルリング２７等が設けられた注出キャップ２がオーバーキャップ３によって覆われているので、キャップ１の外観性が改善され、外観性に優れたキャップ１を提供することができる。
さらに、プルリング２７がオーバーキャップ３の内側に収納されているので、プルリング２７が不用意に引き上げられることが防止される。これにより、注出口２５が不用意に開封されることを防止することができる。
【００３３】
以上、本発明に係るキャップの実施の形態について説明したが、本発明は上記した実施の形態に限定されるものではなく、その趣旨を逸脱しない範囲で適宜変更可能である。
具体的には、上記した実施の形態では、注出キャップ２の天壁部２０に注出口２５が形成された構成となっているが、本発明は、注出口２５が天壁部２０以外に形成されていてもよく、例えば注出筒部２３の軸方向中間部や内筒部２１の下端部や軸方向中間部に隔壁部が設けられ、この隔壁部に注出口が形成された構成であってもよい。
【００３４】
上記した実施の形態では、注出キャップ２が口部１１にアンダーカット嵌合されているが、本発明は、注出キャップ２が口部１１に他の構造で接合されていてもよく、例えば、注出キャップ２が口部１１に螺着されていてもよい。
また、上記した実施の形態では、オーバーキャップ３の嵌合筒部５１が口部１１のフランジ１２にアンダーカット嵌合されているが、本発明は、オーバーキャップ３が口部１１に他の構造で接合されていてもよく、例えば、オーバーキャップ３が口部１１に螺着されていてもよい。
さらに、本発明は、オーバーキャップ３が口部１１に接合されていなくてもよく、例えばオーバーキャップ３の嵌合筒部５１が注出キャップ２の外筒部２２の外周に嵌着或いは螺着されていてもよい。
【００３５】
また、上記した実施の形態では、ノズル筒部５４を有するオーバーキャップ本体部５と、そのオーバーキャップ本体部５にヒンジ７を介して連結された蓋部６と、を備えるオーバーキャップ３が備えられているが、本発明におけるオーバーキャップの構成は適宜変更可能である。例えば、上記したノズル筒部５４や蓋部６が省略され、注出キャップ２を覆うだけの単なる有頂筒状のオーバーキャップであってもよい。
さらに、本発明はオーバーキャップ３を省略することも可能である。
なお、容器本体１０の形状を横断面で四角形状などの多角形状に形成することも可能である。この場合には、少なくともオーバーキャップ３の周壁部５３を容器本体１０の形状に合わせた多角形状に形成することが好ましく。この構成によって、オーバーキャップ３を容器本体１０に対して回転不能に装着することが可能となる。
【００３６】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００３７】
１  キャップ
２  注出キャップ
３  オーバーキャップ
１０  容器本体
１１  口部
２３  注出筒部
２４  栓体
２５  注出口
２６  封止板
２７  プルリング
【図１】
0005489783.tif 000002
【図２】
0005489783.tif 000003